(57)【要約】【課題】  光軸合わせなどの作業性が容易な波長多重光通信装置を提供する。【解決手段】  光伝送手段の入射口に反射面を向けた位置に配置された第１凹面鏡１２０と、第１の光を前記第１凹面鏡の反射面に向けて発生する第１発光素子１１０と、前記第１凹面鏡の反射面と反対側に配置され、前記第１凹面鏡よりも大きな反射面を前記光伝送手段の入射口に向けて配置された第２凹面鏡１４０と、前記第１凹面鏡と前記第２凹面鏡との間に配置され、第２の光を前記第２凹面鏡の反射面に向けて発生する第２発光素子１３０と、を備え、前記第１凹面鏡、前記第１発光素子、前記第２凹面鏡、および前記第２発光素子は、それぞれの中心が一つの軸（中心軸）と一致するように配置されていることを特徴とする。【選択図】  図１
2006253879.tif 000002
【特許請求の範囲】
【請求項１】
複数の発光素子からの光を多重化して光伝送手段を介して伝送するための波長多重光通信装置であって、
前記光伝送手段の入射口に反射面を向けた位置に配置された第１凹面鏡と、
第１の光を前記第１凹面鏡の反射面に向けて発生する第１発光素子と、
前記第１凹面鏡の反射面と反対側に配置され、前記第１凹面鏡よりも大きな反射面を前記光伝送手段の入射口に向けて配置された第２凹面鏡と、
前記第１凹面鏡と前記第２凹面鏡との間に配置され、第２の光を前記第２凹面鏡の反射面に向けて発生する第２発光素子と、
を備え、
前記第１凹面鏡、前記第１発光素子、前記第２凹面鏡、および前記第２発光素子は、それぞれの中心が一つの軸（中心軸）と一致するように配置されていることを特徴とする波長多重光通信装置。
【請求項２】
前記第２凹面鏡の反射面と反対側に配置され、前記第２凹面鏡よりも大きな反射面を前記光伝送手段の入射口に向けて配置された第３凹面鏡と、
前記第２凹面鏡と前記第３凹面鏡との間に配置され、第３の光を前記第３凹面鏡の反射面に向けて発生する第３発光素子と、
をさらに備え、
前記第３凹面鏡および前記第３発光素子は、それぞれの中心が前記中心軸と一致するように配置されていることを特徴とする請求項１記載の波長多重光通信装置。
【請求項３】
複数の発光素子からの光を多重化して光伝送手段を介して伝送するための波長多重光通信装置であって、
ｎを１以上の正の整数とした場合に、
前記光伝送手段の入射口に反射面を向けた位置に配置された第ｎ凹面鏡と、
第ｎ番目の光を前記第１凹面鏡の反射面に向けて発生する第ｎ発光素子と、
前記第ｎ凹面鏡の反射面と反対側に配置され、前記第ｎ凹面鏡よりも大きな反射面を前記光伝送手段の入射口に向けて配置された第ｎ＋１凹面鏡と、
前記第ｎ凹面鏡と前記第ｎ＋１凹面鏡との間に配置され、第ｎ＋１番目の光を前記第ｎ＋１凹面鏡の反射面に向けて発生する第ｎ＋１発光素子と、
を備え、
前記第ｎ凹面鏡、前記第ｎ発光素子、前記第ｎ＋１凹面鏡、および前記第ｎ＋１発光素子は、それぞれの中心が一つの軸（中心軸）と一致するように配置されていることを特徴とする波長多重光通信装置。
【請求項４】
前記各凹面鏡で反射された光を前記伝送手段の入射口に集束させるための集束レンズを、該レンズの中心が前記中心軸と一致するようにさらに有する、
ことを特徴とする請求項１乃至請求項３のいずれかに記載の波長多重光通信装置。
【請求項５】
前記各凹面鏡で反射された光を前記伝送手段の入射口に集束させるための集束レンズを、該レンズの中心が前記中心軸と一致するようにさらに有し、
前記各凹面鏡は、各発光素子からの光を平行光として前記集束レンズに向けて反射させる、
ことを特徴とする請求項１乃至請求項３のいずれかに記載の波長多重光通信装置。
【発明の詳細な説明】
【技術分野】
【０００１】
本発明は複数の発光素子からの光を多重化して光伝送手段を介して伝送するための波長多重光通信装置に関する。
【背景技術】
【０００２】
複数の発光素子からの異なる波長のレーザ光を多重化して、光ファイバなどの光伝送手段を介して伝送する「波長多重光通信」が行われている。
このような波長多重光通信では、複数の発光素子からの光を何らかの手段を介して１つにまとめ、光ファイバに入射させる必要がある。
【０００３】
図３は従来の波長多重光通信装置の構成を示す説明図である。この図３において、１０は第１の光を発生する第１発光素子、３０は第２の光を発生する第２発光素子、４０は第１発光素子１０からの光は透過する共に第２発光素子３０からの光を反射する第１ハーフミラー、５０は第３の光を発生する第３発光素子、６０は第１発光素子１０からの光と第２発光素子３０とからの光は透過する共に第３発光素子５０からの光を反射する第２ハーフミラー、８０は各発光素子からの光を集光して多重化する集光レンズ、２００は多重化された各発光素子からの光を伝送する光伝送手段としての光ファイバである。
【０００４】
この図３の構成の波長多重光通信装置においては、各発光素子からの光はハーフミラーによって重ね合わされて多重化されて、集光レンズ８０によって集光される。そして、光ファイバ２００の入射口の位置において、各発光素子からの光が最大になるように、各発光素子毎に、それぞれの光軸合わせを行うようにしている。
【０００５】
なお、この種の構成の波長多重光通信装置は周知のものであるが、たとえば、特許文献１などにも記載されている。
図４は従来の波長多重光通信装置の他の構成を示す説明図である。この図４において、１０は第１の光を発生する第１発光素子、３０は第２の光を発生する第２発光素子、５０は第３の光を発生する第３発光素子、７０は各発光素子からの光を多重化する多入力の光導波路、８０は光導波路７０からの光を集光する集光レンズ、２００は多重化された各発光素子からの光を伝送する光伝送手段としての光ファイバである。
【０００６】
この図４の構成の波長多重光通信装置においては、光導波路７０の出射位置７０ｄにおいて、各発光素子からの光が最大になるように、各発光素子毎の入射位置７０ａ〜７０ｃのそれぞれで光軸合わせを行うようにしている。
【特許文献１】特開２００４−２５４０８９号公報（第１頁、図１）
【発明の開示】
【発明が解決しようとする課題】
【０００７】
以上の図３に示す波長多重光通信装置では、ハーフミラー４０，６０と集光レンズ８０とを介して最終的に光ファイバ２００に対して集光させる構成であるが、各発光素子はそれぞれ異なる光軸上に配置されており、それぞれ個別に光軸合わせをする必要があった。このため、作業性が良くないという問題を有していた。
【０００８】
また、以上の図４に示す波長多重光通信装置では、光導波路７０の内部で多重化する構成であるが、各発光素子は光導波路７０の入力側でそれぞれ異なる光軸上に配置されており、それぞれ個別に光軸合わせをする必要があった。このため、作業性が良くないという問題を有していた。
【０００９】
本発明は、上記の課題を解決するためになされたものであって、その目的は、光軸合わせなどの作業性が容易な波長多重光通信装置を提供することにある。
【課題を解決するための手段】
【００１０】
以上の課題を解決する本発明について、図２を参照して説明する。図２は本発明の原理的構成を示す原理図である。
この図２は、複数の発光素子からの異なる波長のレーザ光を多重化して、光ファイバなどの光伝送手段を介して伝送する波長多重光通信を行うための波長多重光通信装置について示している。
【００１１】
この図２において、２００は光伝送手段としての光ファイバである。１１０は、出射光の中心が中心軸と一致するように配置され、第１の光を第１凹面鏡１２０の反射面に向けて発生する第１発光素子である。１２０は、その中心が中心軸と一致するように、光ファイバ２００の入射口に反射面を向けた位置に配置された第１凹面鏡である。
【００１２】
１３０は、出射光の中心が中心軸と一致するように、第１凹面鏡１２０と第２凹面鏡１４０との間に配置され、第２の光を第２凹面鏡１４０の反射面に向けて発生する第２発光素子である。
【００１３】
１４０は、その中心が中心軸と一致するように、第１凹面鏡１２０の反射面と反対側に配置され、第１凹面鏡よりも大きな反射面を光ファイバ２００の入射口に向けて配置された第２凹面鏡である。
【００１４】
１５０は、出射光の中心が中心軸と一致するように、第２凹面鏡１４０と第３凹面鏡１６０との間に配置され、第３の光を第３凹面鏡１６０の反射面に向けて発生する第３発光素子である。
【００１５】
１６０は、その中心が中心軸と一致するように、第２凹面鏡１４０の反射面と反対側に配置され、第２凹面鏡よりも大きな反射面を光ファイバ２００の入射口に向けて配置された第３凹面鏡である。
【００１６】
１８０は、第１凹面鏡１２０、第２凹面鏡１４０、第３凹面鏡１６０でそれぞれ反射された光を光ファイバ２００の入射口に集束させるため、その中心が中心軸と一致するように配置された集束レンズである。
【００１７】
なお、第１発光素子１１０、第１凹面鏡１２０、第２発光素子１３０、第２凹面鏡１４０、第３発光素子１５０、第３凹面鏡１６０、集束レンズ１８０は、出射光の中心が中心軸と一致するように配置されている。
【００１８】
この図２の構成の波長多重光通信装置においては、各発光素子と各凹面鏡とは、それぞれの中心が一つの軸（中心軸）と一致するように配置されており、各発光素子からの光は各凹面鏡によって反射されることで同一中心軸上で重ね合わされて多重化されて、さらに、集光レンズ１８０によって光ファイバ２００の入射口に集光される。
【００１９】
ここで、上述した課題を解決する手段としての波長多重光通信装置の発明は、以下に列記して説明するものである。
（１）請求項１記載の発明は、複数の発光素子からの光を多重化して光伝送手段を介して伝送するための波長多重光通信装置であって、前記光伝送手段の入射口に反射面を向けた位置に配置された第１凹面鏡と、第１の光を前記第１凹面鏡の反射面に向けて発生する第１発光素子と、前記第１凹面鏡の反射面と反対側に配置され、前記第１凹面鏡よりも大きな反射面を前記光伝送手段の入射口に向けて配置された第２凹面鏡と、前記第１凹面鏡と前記第２凹面鏡との間に配置され、第２の光を前記第２凹面鏡の反射面に向けて発生する第２発光素子と、を備え、前記第１凹面鏡、前記第１発光素子、前記第２凹面鏡、および前記第２発光素子は、それぞれの中心が一つの軸（中心軸）と一致するように配置されていることを特徴とする波長多重光通信装置である。
【００２０】
（２）請求項２記載の発明は、前記第２凹面鏡の反射面と反対側に配置され、前記第２凹面鏡よりも大きな反射面を前記光伝送手段の入射口に向けて配置された第３凹面鏡と、前記第２凹面鏡と前記第３凹面鏡との間に配置され、第３の光を前記第３凹面鏡の反射面に向けて発生する第３発光素子と、をさらに備え、前記第３凹面鏡および前記第３発光素子は、それぞれの中心が前記中心軸と一致するように配置されていることを特徴とする請求項１記載の波長多重光通信装置である。
【００２１】
（３）請求項３記載の発明は、複数の発光素子からの光を多重化して光伝送手段を介して伝送するための波長多重光通信装置であって、ｎを１以上の正の整数とした場合に、前記光伝送手段の入射口に反射面を向けた位置に配置された第ｎ凹面鏡と、第ｎ番目の光を前記第１凹面鏡の反射面に向けて発生する第ｎ発光素子と、前記第ｎ凹面鏡の反射面と反対側に配置され、前記第ｎ凹面鏡よりも大きな反射面を前記光伝送手段の入射口に向けて配置された第ｎ＋１凹面鏡と、前記第ｎ凹面鏡と前記第ｎ＋１凹面鏡との間に配置され、第ｎ＋１番目の光を前記第ｎ＋１凹面鏡の反射面に向けて発生する第ｎ＋１発光素子と、を備え、前記第ｎ凹面鏡、前記第ｎ発光素子、前記第ｎ＋１凹面鏡、および前記第ｎ＋１発光素子は、それぞれの中心が一つの軸（中心軸）と一致するように配置されていることを特徴とする波長多重光通信装置である。
【００２２】
（４）請求項４記載の発明は、前記各凹面鏡で反射された光を前記伝送手段の入射口に集束させるための集束レンズを、該レンズの中心が前記中心軸と一致するようにさらに有する、ことを特徴とする請求項１乃至請求項３のいずれかに記載の波長多重光通信装置である。
【００２３】
（５）請求項５記載の発明は、前記各凹面鏡で反射された光を前記伝送手段の入射口に集束させるための集束レンズを、該レンズの中心が前記中心軸と一致するようにさらに有し、前記各凹面鏡は、各発光素子からの光を平行光として前記集束レンズに向けて反射させる、ことを特徴とする請求項１乃至請求項３のいずれかに記載の波長多重光通信装置である。
【発明の効果】
【００２４】
本発明によると以下のような効果が得られる。
以上の図２に示した波長多重光通信装置の発明によれば、各発光素子と各凹面鏡とは、それぞれの中心が一つの軸（中心軸）と一致するように配置されており、各発光素子からの光は各凹面鏡によって反射されることで同一中心軸上で重ね合わされて多重化され、集光レンズ１８０によって光ファイバ２００の入射口に集光される。
【００２５】
ここで、各発光素子と各凹面鏡とを予め定められた位置に配置することによってこれらが同一中心軸上に位置するように構成しておくことで、複雑な調整を必要とせずに位置合わせ（光軸合わせ）することが可能であり、微調整などによって位置合わせ（光軸合わせ）の精度を高めることが容易である。また、多重化数が増加したとしても、増加する発光素子と凹面鏡とは、それぞれの中心が一つの軸（中心軸）と一致するように配置されるものであるため、調整が複雑化したり作業性が悪化したりすることはない。すなわち、光軸合わせなどの作業性が容易な波長多重光通信装置を実現することができる。
【００２６】
また、上述した課題を解決する手段としての波長多重光通信装置の各発明によれば、以下のような効果を得ることができる。
（１）請求項１記載の波長多重光通信装置の発明では、複数の発光素子からの光を多重化して光伝送手段を介して伝送する際に、各発光素子と各凹面鏡とは、それぞれの中心が一つの軸（中心軸）と一致するように配置されており、第１発光素子からの光は第１凹面鏡によって反射され、第２発光素子からの光は第１凹面鏡よりも大きな第２凹面鏡によって反射され、第１凹面鏡で反射された光と第２凹面鏡で反射された光とは同一中心軸上で重ね合わされて多重化される。
【００２７】
ここで、各発光素子と各凹面鏡とを予め定められた位置に配置することによってこれらが同一中心軸上に位置するように構成しておくことで、複雑な調整を必要とせずに位置合わせ（光軸合わせ）することが可能であり、微調整などによって位置合わせ（光軸合わせ）の精度を高めることが容易である。すなわち、光軸合わせなどの作業性が容易な波長多重光通信装置を実現することができる。
【００２８】
（２）請求項２記載の波長多重光通信装置の発明では、複数の発光素子からの光を多重化して光伝送手段を介して伝送する際に、各発光素子と各凹面鏡とは、それぞれの中心が一つの軸（中心軸）と一致するように配置されており、第１発光素子からの光は第１凹面鏡によって反射され、第２発光素子からの光は第１凹面鏡よりも大きな第２凹面鏡によって反射され、第３発光素子からの光は第２凹面鏡よりも大きな第３凹面鏡によって反射され、第１凹面鏡で反射された光と第２凹面鏡で反射された光と第３凹面鏡で反射された光とは同一中心軸上で重ね合わされて多重化される。
【００２９】
ここで、各発光素子と各凹面鏡とを予め定められた位置に配置することによってこれらが同一中心軸上に位置するように構成しておくことで、複雑な調整を必要とせずに位置合わせ（光軸合わせ）することが可能であり、微調整などによって位置合わせ（光軸合わせ）の精度を高めることが容易である。すなわち、光軸合わせなどの作業性が容易な波長多重光通信装置を実現することができる。
【００３０】
（３）請求項３記載の波長多重光通信装置の発明では、複数の発光素子からの光を多重化して光伝送手段を介して伝送する際に、各発光素子と各凹面鏡とは、それぞれの中心が一つの軸（中心軸）と一致するように配置されており、ｎを１以上の正の整数とした場合に、第ｎ発光素子からの光は第ｎ凹面鏡によって反射され、第ｎ＋１発光素子からの光は第ｎ凹面鏡よりも大きな第ｎ＋１凹面鏡によって反射され、第ｎ凹面鏡で反射された光と第ｎ＋１凹面鏡で反射された光とは同一中心軸上で重ね合わされて多重化される。
【００３１】
ここで、ｎは１以上の正の整数であり、隣接する反射鏡や発光素子の間で、少なくとも、以上の条件を満たしていればよい。これにより、２個の発光素子の波長多重光通信装置や、４個以上の発光素子の波長多重光通信装置の場合も同様な動作を行うことが可能である。
【００３２】
そして、各発光素子と各凹面鏡とを予め定められた位置に配置することによってこれらが同一中心軸上に位置するように構成しておくことで、複雑な調整を必要とせずに位置合わせ（光軸合わせ）することが可能であり、微調整などによって位置合わせ（光軸合わせ）の精度を高めることが容易である。すなわち、光軸合わせなどの作業性が容易な波長多重光通信装置を実現することができる。
【００３３】
（４）請求項４記載の波長多重光通信装置の発明では、各凹面鏡で反射されて同一中心軸上で重ね合わされて多重化された光を、その中心が中心軸と一致するように配置された集束レンズによって伝送手段の入射口に集束させるようにしている。
【００３４】
この場合、各発光素子と各凹面鏡だけでなく集光レンズをも、予め定められた位置に配置することによってこれらが同一中心軸上に位置するように構成しておくことで、複雑な調整を必要とせずに位置合わせ（光軸合わせ）することが可能になる。また、微調整などによって位置合わせ（光軸合わせ）の精度を高めることが容易である。すなわち、光軸合わせなどの作業性が容易な波長多重光通信装置を実現することができる。
【００３５】
（５）請求項５記載の波長多重光通信装置の発明では、各凹面鏡で反射されて同一中心軸上で重ね合わされて多重化された平行光を、その中心が中心軸と一致するように配置された集束レンズによって伝送手段の入射口に集束させるようにしている。
【００３６】
この場合、各発光素子と各凹面鏡だけでなく集光レンズをも、予め定められた位置に配置することによってこれらが同一中心軸上に位置するように構成しておくことで、複雑な調整を必要とせずに位置合わせ（光軸合わせ）することが可能になる。また、微調整などによって位置合わせ（光軸合わせ）の精度を高めることが容易である。すなわち、光軸合わせなどの作業性が容易な波長多重光通信装置を実現することができる。
【発明を実施するための最良の形態】
【００３７】
以下、図面を参照して本発明を実施するための最良の形態（以下、実施形態）を詳細に説明する。
なお、ここでは、複数の発光素子からの光を多重化して光伝送手段を介して伝送するための波長多重光通信装置として、３個の発光素子からの光を多重化して伝送するものを具体例として用いることにする。但し、２個の発光素子の波長多重光通信装置や、４個以上の発光素子の波長多重光通信装置の場合も同様な動作を行うことが可能である。
【００３８】
図１は本実施の形態例の波長多重光通信装置１００の概略構成を斜視図により示す説明図である。
この図１において、１０１は波長多重光通信装置１００の各部が載置されるベースである。２００は光伝送手段としての光ファイバである。この光ファイバ２００は、後述する波長多重光通信装置１００の集光レンズ１８０によって集光された多重化された光を受けて、図示されない他の機器に伝送するものであり、ここでは他の機器に対する光ファイバ２００の接続は省略した状態で示している。なお、この光ファイバ２００は、支持部２０２によって、所定の中心軸上に位置するように支持されている。
【００３９】
１１０は、出射光の中心が中心軸と一致するように配置され、第１の光を第１凹面鏡１２０の反射面１２０Ｍに向けて発生する第１発光素子である。この第１発光素子１１０は、支持部１１２によって、所定の中心軸上に位置するように支持されている。
【００４０】
１２０は、その中心が中心軸と一致するように、光ファイバ２００の入射口に反射面１２０Ｍを向けた位置に配置された第１凹面鏡である。この第１凹面鏡１２０は、支持部１２２によって、所定の中心軸上に位置するように支持されている。
【００４１】
１３０は、出射光の中心が中心軸と一致するように、第１凹面鏡１２０と第２凹面鏡１４０との間に配置され、第２の光を第２凹面鏡１４０の反射面１４０Ｍに向けて発生する第２発光素子である。この第２発光素子１３０は、支持部１３２によって、所定の中心軸上に位置するように支持されている。
【００４２】
１４０は、その中心が中心軸と一致するように、第１凹面鏡１２０の反射面１２０Ｍと反対側に配置され、第１凹面鏡よりも大きな反射面１４０Ｍを光ファイバ２００の入射口に向けて配置された第２凹面鏡である。この第２凹面鏡１４０は、支持部１４２によって、所定の中心軸上に位置するように支持されている。
【００４３】
１５０は、出射光の中心が中心軸と一致するように、第２凹面鏡１４０と第３凹面鏡１６０との間に配置され、第３の光を第３凹面鏡１６０の反射面１６０Ｍに向けて発生する第３発光素子である。この第３発光素子１５０は、支持部１５２によって、所定の中心軸上に位置するように支持されている。
【００４４】
１６０は、その中心が中心軸と一致するように、第２凹面鏡１４０の反射面１４０Ｍと反対側に配置され、第２凹面鏡よりも大きな反射面１６０Ｍを光ファイバ２００の入射口に向けて配置された第３凹面鏡である。この第３凹面鏡１３０は、支持部１３２によって、所定の中心軸上に位置するように支持されている。
【００４５】
１８０は、第１凹面鏡１２０の反射面１２０Ｍ、第２凹面鏡１４０の反射面１４０Ｍ、第３凹面鏡１６０の反射面１６０Ｍでそれぞれ反射された光を光ファイバ２００の入射口に集束させるため、その中心が中心軸と一致するように配置された集束レンズである。この集束レンズ１８０は、支持部１８２によって、所定の中心軸上に位置するように支持されている。
【００４６】
なお、第１発光素子１１０、第１凹面鏡１２０、第２発光素子１３０、第２凹面鏡１４０、第３発光素子１５０、第３凹面鏡１６０、集束レンズ１８０は、その中心が中心軸と一致するように配置されている。
【００４７】
この結果、この図１の構成の波長多重光通信装置においては、各発光素子と各凹面鏡とは各支持部によって同一中心軸（図２における一点鎖線）上に配置されており、各発光素子からの光は各凹面鏡によって反射されることで同一中心軸上で重ね合わされて多重化されて、さらに、集光レンズ１８０によって光ファイバ２００の入射口に集光される。
【００４８】
ここで、各発光素子と各凹面鏡とについて各支持部を介して予め定められた位置に配置することによってこれらが同一中心軸上に位置するように構成しておくことで、複雑な調整を必要とせずに位置合わせ（光軸合わせ）することが可能になる。
【００４９】
すなわち、各部（各凹面鏡、各発光素子、集束レンズ）の中心が中心軸と一致するように、各部の寸法およびその中心位置から割り出して、必要な高さの各支持部を所定の位置に設けておく。そして、その支持部上に各凹面鏡や各発光素子や集束レンズを配置する。このようにすることで、光学的な調整作業をせずに各部を配置しただけでも、各部の中心と中心軸とがほぼ一致することになり、波長多重光通信装置１００として十分な動作が可能な状態になる。
【００５０】
また、図３や図４に示した従来の波長多重光通信装置の例では複数の光軸が存在していたため、各素子を個別に調整する必要があったが、本実施形態では同一光軸上に各発光素子と各凹面鏡とが配置されているため、簡単な調整で位置合わせが可能になってくる。さらに、各発光素子と各凹面鏡とについて微調整などによって位置合わせ（光軸合わせ）の精度を高めることが容易である。
【００５１】
また、多重化数（発光素子と凹面鏡との数）が増加したとしても、増加する発光素子と凹面鏡とは、それぞれの中心が一つの軸（中心軸）と一致するように配置されるものであるため、調整が複雑化したり作業性が悪化したりすることはない。すなわち、光軸合わせなどの作業性が容易な波長多重光通信装置を実現することができる。
【００５２】
なお、第２凹面鏡１４０で反射される第２発光素子１３０からの第２の光の中心付近の一部は、第１凹面鏡１２０によって遮られることになるが、第２発光素子１３０として第１発光素子１１０よりも大きな出力の発光素子を用いることで十分対処することが可能である。同様にして、第３凹面鏡１６０で反射される第３発光素子１５０からの第３の光の中心付近の一部は、第２凹面鏡１４０によって遮られることになるが、第３発光素子１５０として第２発光素子１３０よりも大きな出力の発光素子を用いることで十分対処することが可能である。
【００５３】
なお、図３や図４に示す従来の波長多重光通信装置であっても、ハーフミラーでの反射率や光導波路での入出力効率によってロスが生じていたため、従来装置と比較して本実施形態の波長多重光通信装置１００で問題となる現象が発生することはない。
【００５４】
〈その他の実施の形態例〉
（１）なお、以上の実施形態の具体例では３個の発光素子からの光を多重化するものであったが、２個の発光素子の波長多重光通信装置や、４個以上の発光素子の波長多重光通信装置の場合も同様な動作を行うことが可能であり、その場合には、隣接する反射鏡や発光素子の間で、少なくとも、以下の条件を満たしていればよい。
【００５５】
すなわち、光伝送手段の入射口に反射面を向けた位置に配置された第ｎ凹面鏡と、第ｎ番目の光を前記第１凹面鏡の反射面に向けて発生する第ｎ発光素子と、第ｎ凹面鏡の反射面と反対側に配置され、第ｎ凹面鏡よりも大きな反射面を光伝送手段の入射口に向けて配置された第ｎ＋１凹面鏡と、第ｎ凹面鏡と第ｎ＋１凹面鏡との間に配置され、第ｎ＋１番目の光を第ｎ＋１凹面鏡の反射面に向けて発生する第ｎ＋１発光素子と、を備え、第ｎ凹面鏡、第ｎ発光素子、第ｎ＋１凹面鏡、および第ｎ＋１発光素子は、それぞれの中心が一つの軸（中心軸）と一致するように配置されていればよい。ここで、ｎは１以上の正の整数である。
【００５６】
（２）また、各凹面鏡の反射面は真円形あってもよいが、発光素子からの出射光の分布形状に応じて、楕円形など真円形以外の形状とすることも可能である。
（３）各発光素子からの光が各凹面鏡で反射されて平行光となるために、各凹面鏡の反射面は放物面であることが望ましいが、放物面以外の反射面の使用を妨げるものではなく、本発明として十分な効果を得ることができる。
【００５７】
（４）また、図２の原理図において、各発光素子からの光が各凹面鏡で反射されて平行光となっているが、これに限定されるものではない。すなわち、各凹面鏡で反射された時点で平行光以外の状態になっていたとしても、本発明として十分な効果を得ることが可能である。
【００５８】
（５）また、各支持部１１２，１２２，１３２，１４２，１５２，１６２，１８２，２０２の形状については、図１に示したものは一例であり、各種の形状の変更が可能である。ここで、支持部１１２，１２２，１３２，１４２，１５２については、多重化される光の通過をなるべく妨げない状態を保ちつつ、各種の形状の変更を行うことが望ましい。
【００５９】
（付記１）複数の発光素子からの光を多重化して光伝送手段を介して伝送するための波長多重光通信装置であって、前記光伝送手段の入射口に反射面を向けた位置に配置された第１凹面鏡と、第１の光を前記第１凹面鏡の反射面に向けて発生する第１発光素子と、前記第１凹面鏡の反射面と反対側に配置され、前記第１凹面鏡よりも大きな反射面を前記光伝送手段の入射口に向けて配置された第２凹面鏡と、前記第１凹面鏡と前記第２凹面鏡との間に配置され、第２の光を前記第２凹面鏡の反射面に向けて発生する第２発光素子と、を備え、前記第１凹面鏡、前記第１発光素子、前記第２凹面鏡、および前記第２発光素子は、それぞれの中心が一つの軸（中心軸）と一致するように配置されていることを特徴とする波長多重光通信装置。
【００６０】
（付記２）前記第２凹面鏡の反射面と反対側に配置され、前記第２凹面鏡よりも大きな反射面を前記光伝送手段の入射口に向けて配置された第３凹面鏡と、前記第２凹面鏡と前記第３凹面鏡との間に配置され、第３の光を前記第３凹面鏡の反射面に向けて発生する第３発光素子と、をさらに備え、前記第３凹面鏡および前記第３発光素子は、それぞれの中心が前記中心軸と一致するように配置されていることを特徴とする付記１記載の波長多重光通信装置。
【００６１】
（付記３）複数の発光素子からの光を多重化して光伝送手段を介して伝送するための波長多重光通信装置であって、前記光伝送手段の入射口に反射面を向けた位置に配置された第ｎ凹面鏡と、第ｎ番目の光を前記第１凹面鏡の反射面に向けて発生する第ｎ発光素子と、前記第ｎ凹面鏡の反射面と反対側に配置され、前記第ｎ凹面鏡よりも大きな反射面を前記光伝送手段の入射口に向けて配置された第ｎ＋１凹面鏡と、前記第ｎ凹面鏡と前記第ｎ＋１凹面鏡との間に配置され、第ｎ＋１番目の光を前記第ｎ＋１凹面鏡の反射面に向けて発生する第ｎ＋１発光素子と、を備え、前記第ｎ凹面鏡、前記第ｎ発光素子、前記第ｎ＋１凹面鏡、および前記第ｎ＋１発光素子は、それぞれの中心が一つの軸（中心軸）と一致するように配置されていることを特徴とする波長多重光通信装置。
【００６２】
（付記４）前記各凹面鏡で反射された光を前記伝送手段の入射口に集束させるための集束レンズを、該レンズの中心が前記中心軸と一致するようにさらに有する、ことを特徴とする付記１乃至付記３のいずれかに記載の波長多重光通信装置。
【００６３】
（付記５）前記各凹面鏡で反射された光を前記伝送手段の入射口に集束させるための集束レンズを、該レンズの中心が前記中心軸と一致するようにさらに有し、前記各凹面鏡は、各発光素子からの光を平行光として前記集束レンズに向けて反射させる、ことを特徴とする付記１乃至付記３のいずれかに記載の波長多重光通信装置。
【００６４】
（付記６）前記各凹面鏡で反射された光を前記伝送手段の入射口に集束させるための集束レンズを、該レンズの中心が前記中心軸と一致するようにさらに有し、前記各凹面鏡は、各発光素子からの光を平行光以外の状態で前記集束レンズに向けて反射させる、ことを特徴とする付記１乃至付記３のいずれかに記載の波長多重光通信装置。
【００６５】
（付記７）前記各凹面鏡の反射面が真円形であることを特徴とする付記１乃至付記６のいずれかに記載の波長多重光通信装置。
（付記８）前記各凹面鏡の反射面は、前記各発光素子からの出射光の広がり形状にあわせた形状であることを特徴とする付記１乃至付記６のいずれかに記載の波長多重光通信装置。
【図面の簡単な説明】
【００６６】
【図１】本発明の実施形態の波長多重光通信装置の構成を示す説明図である。
【図２】本発明の実施形態の波長多重光通信装置の構成を示す説明図である。
【図３】従来の波長多重光通信装置の構成を示す説明図である。
【図４】従来の波長多重光通信装置の構成を示す説明図である。
【符号の説明】
【００６７】
１００  波長多重光通信装置
１０１  ベース
１１０  第１発光素子
１１２  支持部
１２０  第１凹面鏡
１２２  支持部
１３０  第２発光素子
１３２  支持部
１４０  第２凹面鏡
１４２  支持部
１５０  第３発光素子
１５２  支持部
１６０  第３凹面鏡
１６２  支持部
１８０  集束レンズ
２００  光ファイバ
【図１】
2006253879.tif 000003
【図２】
2006253879.tif 000004
【図３】
2006253879.tif 000005
【図４】
2006253879.tif 000006